(57)【要約】      （修正有）【課題】通常時と緊急避難など非常時に両立できる省エネ低消費電力多機能充電式ＬＥＤ照明ツールを提供する。【解決手段】多機能式ＬＥＤ照明ツールは、正角柱複合カバー１の内部にＬＥＤ点灯回路、時計回路、リモコン回路、救助信号発信回路、蓄電池等が内蔵されており、通常時には口金３で固定エリアに設置されて固定照明として使用される。停電時には蓄電池から給電されて応急用照明として使用できる。緊急避難などの移動時には口金３を固定エリアから外し、伸縮ハンドル２を矢印のように伸縮させ、ロック１１により長さを固定して移動照明として使用する。調光コントローラー１３、ＬＥＤ時計セットボタン１４、救助信号セットボタン１５、ラジオ受信コントローラー１６ａにより各種の機能を制御することができる。【選択図】図５
2012252992.tif 000002
【特許請求の範囲】
【請求項１】
本発明の照明ツールは、先端の正角柱複合型外カバー、内蔵伸縮式ハンドルとその後端に取り付けられている白熱電球規格の口金と、
前記正角柱複合型外カバーの内部に、ＬＥＤ配列回路基板があり、その上部の位置に、散光と保護兼用の透明又は半透明の凸レンズ形カバーが覆われていることと、
前記ＬＥＤ配列回路基板部の下部に多機能回路基板が内蔵していると
前記正角柱複合型外カバーの側面に、ＡＣ／ＤＣ電源と多機能操作用のコントロールスイッチと
前記正角柱複合型外カバーの内部にパイプ状伸縮式ハンドルが内蔵されている。そのハンドルの芯に、蓄電池が内蔵されていることと、
前記ハンドルの後端に取り付けられている口金を逆時計方向に回ると、内蔵伸縮式ハンドルのロックが解除され、外へ最後までスライドをしてから、時計方向に回るとロックが掛けられ、内蔵伸縮式ハンドルと正角柱複合型外カバーが固定される形状になることと、
前記の口金は、白熱電球ソケットを電源インタフェイスとして採用し、ＡＣ電源から給電を受けながら、同時に蓄電池へ充電することを特徴とする多機能充電式ＬＥＤ照明ツール。
【請求項２】
請求項１に記載の多機能充電式ＬＥＤ照明ツールにおいて、ＡＣ停電時に、光点滅で警告サインを表示することと、
前記警告サイン後に、弱光から強い光へ変化し、蓄電池の電力で再度点灯し、数時間以上持続的に使用できる。また、ＡＣ電源が回復後に、光点滅で送電通知サインを表示する。ＡＣ電源の電力で再度点灯と同時に、蓄電池にも自動的に充電することを特徴とする多機能充電式ＬＥＤ照明ツール。
【請求項３】
請求項１に記載の多機能充電式ＬＥＤ照明ツールにおいて、本体スイッチ又はリモコンでＡＣ／ＤＣの電源切替、パワーオンオフをコントロールすることと、
前記本体スイッチ又はリモコンで調光操作をコントロールすることと、
前記本体スイッチ又はリモコンでＬＥＤ時計機能操作をコントロールすることと、
前記本体スイッチ又はリモコンで国際共通の救助信号を光で点滅発光させると同時に救助電波信号が発信することと、
前記本体スイッチ又はリモコンでラジオ放送が受信できることを特徴とする多機能充電式ＬＥＤ照明ツール。
【請求項４】
請求項１に記載の多機能充電式ＬＥＤ照明ツールの正角柱複合型外カバーの任意の側面と角面を利用し、平面上に転ばずに自由に置けることと、
前記正角柱複合型外カバーから引き出したハンドルの長さによって、置ける角度が調整できることを利用して、ＬＥＤ発光角度が調整できることを特徴とする多機能充電式ＬＥＤ照明ツール。
【発明の詳細な説明】
【技術分野】
【０００１】本発明は、通常時に、固定照明として、停電時に応急照明として使用が可能。緊急時、避難時、移動時に移動照明として使用が可能。長時間持続使用が可能、省エネ低消費電力の明るい光源、また災害避難ツールとしても使用が可能な多機能充電式ＬＥＤ照明ツールに関する。
【背景技術】
【０００２】近年、白熱電球と蛍光管の替わりに、省エネ低消費電力かつ長寿命のＬＥＤランプが普及し始めている。
特許文献１は、既存の白熱電球の替わりに、白熱電球を取り付けるソケットにも取り付け可能な口金を持つＬＥＤランプが提案されている。特許文献２には、バッテリが内蔵され、停電時なにバッテリでＬＥＤに電力供給させる非常用点灯装置が提案されている。特許文献３は、懐中電灯用の電球の替わりにＬＥＤを用いるＬＥＤランプが提案されている。特許文献４は、通常時の添付型などの照明用ランプ、停電時に非常灯、取り外すと懐中電灯として用いることのできるＬＥＤランプが提案されている。
【先行技術文献】
【特許文献１】特開２００５−２２２７５０号公報
【特許文献２】特開平０９−２６００７０号公報
【特許文献３】特開２００５−１１６３７９号公報
【特許文献４】特開２０１０−７３３３４号公報
【０００３】前記の技術はいずれも、白熱電球と懐中電灯という伝統器具に対して、発光パーツの代用品にとしてＬＥＤを用いた技術を提案していた。
【発明の概要】
【発明が解決しようとする課題】
【０００４】省エネ低消費電力に重視するという現代社会において、ひとつのツールに対して、互換性と共用性がある機能が一体化し、ひとつの電源から複数の機能へ電力が供給できる多機能ツールが求められている。【０００５】特に、緊急災害のような非常時に、限られた持ち出せる物の中に、多機能なツールさえあれば、避難者にとって命に繋ぐ大事なものになる。残念ながら、このような通常時と非常時に両立できる、長時間持続使用が可能と、省エネ低消費電力の明るい光源と、また災害避難ツールとしても使用が可能な多機能充電式ＬＥＤ照明ツールがなかった。
【課題を解決するための手段】
【０００６】本発明の照明ツールは、先端の正角柱複合型外カバー（１）、内蔵伸縮式ハンドル（２）とその後端に取り付けられている白熱電球規格の口金（３）と、【０００７】前記正角柱複合型外カバー（１）の内部に、ＬＥＤ配列回路基板（４）があり、その上部の位置に、散光と保護兼用の透明又は半透明の凸レンズ形カバー（５）が覆われていることと、前記ＬＥＤ配列回路基板部の下部に多機能回路基板（７、８，９）が内蔵していると、前記正角柱複合型外カバー（１）の側面に、ＡＣ／ＤＣ電源と多機能操作用のコントロールスイッチ（６）と、【０００８】前記正角柱複合型外カバー（１）の内部にパイプ状伸縮式ハンドル（２）が内蔵されている。そのハンドルの芯に、蓄電池（１０）が内蔵されていることと、前記ハンドル（２）の後端に取り付けられている口金（３）を逆時計方向に回ると、内蔵伸縮式ハンドル（２）のロック（１１）が解除され、外へ最後までスライドをしてから、時計方向に回るとロック（１１）が掛けられ、内蔵伸縮式ハンドル（２）と正角柱複合型外カバー（１）が固定される形状になることと、前記の口金（３）は、白熱電球ソケットを電源インタフェイスとして採用し、ＡＣ電源から給電を受けながら、同時に蓄電池（１０）へ充電する。【０００９】本発明の多機能充電式ＬＥＤ照明ツールにおいて、ＡＣ停電時に、光点滅で警告サインを表示することと、前記警告サイン後に、弱光から強い光へ変化し、蓄電池（１０）の電力で再度点灯し、数時間以上持続的に使用できる。また、ＡＣ電源が回復後に、光点滅で送電通知サインを表示する。ＡＣ電源の電力で再度点灯と同時に、蓄電池（１０）にも自動的に充電することを特徴とする多機能充電式ＬＥＤ照明ツール。【００１０】本発明の多機能充電式ＬＥＤ照明ツールにおいて、本体スイッチ（６）又はリモコン（１２ａ、１２ｂ）でＡＣ／ＤＣの電源切替、パワーオンオフをコントロールすることと、前記本体スイッチ（６）又はリモコン（１２ａ、１２ｂ）で調光（１３）操作をコントロールすることと、前記本体スイッチ（６）又はリモコン（１２ａ、１２ｂ）でＬＥＤ時計（１４）機能操作をコントロールすることと、前記本体スイッチ（６）又はリモコン（１２ａ、１２ｂ）で国際共通の救助信号を光で点滅発光させると同時に救助電波信号が発信することと、前記本体スイッチ（６）又はリモコン（１２ａ、１２ｂ）でラジオ放送が受信できる。【００１１】本発明の多機能充電式ＬＥＤ照明ツールの正角柱複合型外カバー（１）の任意の側面（１７）と角面（１８）を利用し、平面上に転ばずに自由に置けることと、前記正角柱複合型外カバー（１）から引き出したハンドル（２）の長さによって、置ける角度が調整できることを利用して、ＬＥＤ発光角度が調整できること。
【発明の効果】
【００１２】通常時に、固定エリアで明るく実用性がある光源（１０ルクス以上）が持つ固定照明として、自然災害や電力不足による停電時に応急照明として使用が可能。また、緊急時、避難時、移動時に移動エリアでも、明るく実用性がある光源（１０ルクス以上）が持つ、移動照明として、長時間持続的に使用が可能な、省エネ低消費電力が可能にする多機能照明である。
また、通常使用時に、使用ニーズにあわせて、リモコン操作で、ＬＥＤ調光と、ＬＥＤ時計に切り替えられることが可能である。
さらに、緊急時や避難時に、簡易に救助信号発信により、迅速な救助捜索活動に役に立てる。ラジオ情報受信が可能、情報収集に役に立てる。しかも長時間持続使用が可能、省エネ低消費電力の明るい光源、また災害避難ツールとしても使用できる。【００１３】本発明は、前記の異なる使用エリアとシーンに対応し、ＬＥＤの省エネ低消費電力技術と生活用品の機能デザインを統合し、高い技術性、機能性と新しい機動性が有することを特徴とする多機能充電式ＬＥＤ照明ツールである。
【図面の簡単な説明】
【００１４】
【図１】本発明の平面図である。
【図２】本発明の平面図２である。
【図３】本発明の通常時の正面図である。
【図４】本発明の通常時の断面図である。
【図５】本発明の移動時、ハンドルが伸びた後の正面図である。
【図６】本発明のリモコンの平面図である。
【図７】本発明の発光角度調整に関する説明図である。
【図８】本発明の回路原理図
【発明を実施するための形態】
【００１５】多機能充電式ＬＥＤ照明ツール、
本発明の照明ツールは、先端の正角柱複合型外カバー（１）、内蔵伸縮式ハンドル（２）とその後端に取り付けられている白熱電球規格の口金（３）と、
【００１６】前記正角柱複合型外カバー（１）の内部に、ＬＥＤ配列回路基板（４）があり、その上部の位置に、散光と保護兼用の透明又は半透明の凸レンズ形カバー（５）が覆われていることと、前記ＬＥＤ配列回路基板部の下部に多機能回路基板（７、８，９）が内蔵していると、前記正角柱複合型外カバー（１）の側面に、ＡＣ／ＤＣ電源と多機能操作用のコントロールスイッチ（６）と、
【００１７】前記正角柱複合型外カバー（１）の内部にパイプ状伸縮式ハンドル（２）が内蔵されている。そのハンドルの芯に、蓄電池（１０）が内蔵されていることと、前記ハンドル（２）の後端に取り付けられている口金（３）を逆時計方向に回ると、内蔵伸縮式ハンドル（２）のロック（１１）が解除され、外へ最後までスライドをしてから、時計方向に回るとロック（１１）が掛けられ、内蔵伸縮式ハンドル（２）と正角柱複合型外カバー（１）が固定される形状になることと、前記の口金（３）は、白熱電球ソケットを電源インタフェイスとして採用し、ＡＣ電源から給電を受けながら、同時に蓄電池（１０）へ充電する。
【００１８】本発明の多機能充電式ＬＥＤ照明ツールにおいて、ＡＣ停電時に、光点滅で警告サインを表示することと、前記警告サイン後に、弱光から強い光へ変化し、蓄電池（１０）の電力で再度点灯し、数時間以上持続的に使用できる。また、ＡＣ電源が回復後に、光点滅で送電通知サインを表示する。ＡＣ電源の電力で再度点灯と同時に、蓄電池（１０）にも自動的に充電することを特徴とする多機能充電式ＬＥＤ照明ツール。
【００１９】本発明の多機能充電式ＬＥＤ照明ツールにおいて、本体スイッチ（６）又はリモコン（１２ａ、１２ｂ）でＡＣ／ＤＣの電源切替、パワーオンオフをコントロールすることと、前記本体スイッチ（６）又はリモコン（１２ａ、１２ｂ）で調光（１３）操作をコントロールすることと、前記本体スイッチ（６）又はリモコン（１２ａ、１２ｂ）でＬＥＤ時計（１４）機能操作をコントロールすることと、前記本体スイッチ（６）又はリモコン（１２ａ、１２ｂ）で国際共通の救助信号を光で点滅発光させると同時に救助電波信号が発信することと、前記本体スイッチ（６）又はリモコン（１２ａ、１２ｂ）でラジオ放送が受信できる。
【００２０】本発明の多機能充電式ＬＥＤ照明ツールの正角柱複合型外カバー（１）の任意の側面（１７）と角面（１８）を利用し、平面上に転ばずに自由に置けることと、前記正角柱複合型外カバー（１）から引き出したハンドル（２）の長さによって、置ける角度が調整できることを利用して、ＬＥＤ発光角度が調整できること。
【産業上の利用可能性】
【００２１】一般家庭用はもちろん、オフィス、学校、店舗、倉庫、公共施設の通路など幅広いの場所で、通常時に、固定照明として、自然災害や電力不足による停電時に応急照明として使用が可能。また、緊急時、避難時、移動時に移動エリアでも、移動照明として、長時間持続的に活用できる。
また、緊急時や避難時に、簡易に救助信号発信により、迅速な救助捜索活動に役に立てる。ラジオ情報受信が可能、情報収集に役に立てる。
【符号の説明】
【００２２】１／正角柱複合型外カバー、２／伸縮式ハンドル、３／口金、４／ＬＥＤ配列回路基板、５／凸レンズ形カバー、６／本体スイッチ、７／８／９／多機能回路基板、１０／蓄電池、１１／ロック、１２ａ／リモコン受信センサー、１２ｂ／リモコン発信機、１３／調光コントローラー、１４／ＬＥＤ時計セットボタン、１５／国際共通の救助信号セットボタン、１６ａ／ラジオ受信コントローラー、１６ｂ／ラジオ受信アンテナ兼ヘッドホンジャック、１７／正角柱複合型側面、１８／正角柱複合型角面
Ａ／ヒューズ、Ｂ／整流回路、Ｃ／周波数の異なる電波の分離の電気回路、Ｄ／ＰＷＭ幅変調回路、Ｅ／整流回路、Ｆ／蓄電池の充電指示管理回路、Ｇ／スイッチコントロール回路、Ｇ−１／調光スイッチ、Ｇ−２／時計セット、Ｇ−３／救助信号セット、Ｇ−４／ラジオ受信、Ｈ／ＤＣ回路、Ｉ／多機能回路、Ｉ−１／ＬＥＤ照明回路、Ｉ−２／ＬＥＤ時計回路、Ｉ−３／救助信号発信回路、Ｉ−４／ラジオ受信回路、Ｊ／ＬＥＤ配列回路
【図１】
2012252992.tif 000003
【図２】
2012252992.tif 000004
【図３】
2012252992.tif 000005
【図４】
2012252992.tif 000006
【図５】
2012252992.tif 000007
【図６】
2012252992.tif 000008
【図７】
2012252992.tif 000009
【図８】
2012252992.tif 000010